(57)【要約】【課題】  主映像の輝度及び／又はコントラストに応じて副映像の輝度及び／又はコントラストを制御することができ、ユーザの目の疲労度を最小限にできる、映像再生装置及び映像再生方法を提供する。【解決手段】  本発明の映像再生装置は、第１の映像信号を入力する映像信号入力部と、前記第１の映像信号から抽出した副映像に関する情報から副映像信号を生成する副映像信号生成部と、前記第１の映像信号から主映像信号を抽出し復号化する主映像信号復号部と、前記主映像信号の輝度を検出し、輝度平均値を算出する輝度検出部と、前記輝度平均値に基づいて前記副映像信号の輝度を調整する輝度調整部と、前記主映像信号と輝度が調整された前記副映像信号との同期をとり、合成し第２の映像信号を生成する映像信号合成部と、前記第２の映像信号を出力する映像信号出力部と、を有する。【選択図】図１
2004194311.tif 000002
【特許請求の範囲】
【請求項１】
第１の映像信号を入力する映像信号入力部と、
前記第１の映像信号から抽出した副映像に関する情報から副映像信号を生成する副映像信号生成部と、
前記第１の映像信号から主映像信号を抽出し復号化する主映像信号復号部と、
前記主映像信号の輝度を検出し、輝度平均値を算出する輝度検出部と、
前記輝度平均値に基づいて前記副映像信号の輝度を調整する輝度調整部と、
前記主映像信号と輝度が調整された前記副映像信号とを合成し、第２の映像信号を生成する映像信号合成部と、
前記第２の映像信号を出力する映像信号出力部と、
を有することを特徴とする映像再生装置。
【請求項２】
前記輝度平均値に基づいて前記副映像信号のコントラストを調整するコントラスト調整部を更に有し、
前記映像信号合成部は、前記主映像信号と輝度及びコントラストが調整された前記副映像信号とを合成し、第２の映像信号を生成する、
ことを特徴とする請求項１に記載の映像再生装置。
【請求項３】
前記主映像信号のコントラストを検出するコントラスト検出部を更に有し、
前記輝度調整部は、前記輝度平均値及び前記コントラストに基づいて、前記副映像信号の輝度を調整する、
ことを特徴とする請求項１に記載の映像再生装置。
【請求項４】
前記主映像信号のコントラストを検出するコントラスト検出部と、
前記コントラストに基づいて、又は前記輝度平均値及び前記コントラストに基づいて、前記副映像信号のコントラストを調整するコントラスト調整部と、
を更に有し、
前記映像信号合成部は、前記主映像信号と輝度及びコントラストが調整された前記副映像信号とを合成し、第２の映像信号を生成する、
ことを特徴とする請求項１に記載の映像再生装置。
【請求項５】
前記第２の映像信号が表示される空間の輝度である外部輝度を検出する外部輝度検出部と、
前記外部輝度に基づいて前記主映像信号の輝度を調整する主映像輝度調整部と、を更に有し、
前記輝度検出部は輝度が調整された前記主映像信号の輝度を検出し、輝度平均値を算出し、
前記映像信号合成部は、輝度が調整された前記主映像信号と、輝度が調整され又は輝度及びコントラストが調整された前記副映像信号とを合成し、第２の映像信号を生成する、
ことを特徴とする請求項１又は請求項２に記載の映像再生装置。
【請求項６】
前記第２の映像信号が表示される空間の輝度である外部輝度を検出する外部輝度検出部と、
前記外部輝度に基づいて前記主映像信号の輝度を調整する主映像輝度調整部と、
を更に有し、
前記輝度調整部は、前記外部輝度及び輝度を調整される前の前記主映像信号の輝度に基づいて前記副映像信号の輝度を調整し、
前記映像信号合成部は、輝度が調整された前記主映像信号と輝度が調整された前記副映像信号とを合成し、第２の映像信号を生成する、
ことを特徴とする請求項１に記載の映像再生装置。
【請求項７】
前記第２の映像信号が表示される空間の輝度である外部輝度を検出する外部輝度検出部と、
前記外部輝度に基づいて前記主映像信号の輝度を調整する主映像輝度調整部と、
を更に有し、
前記コントラスト調整部は、前記外部輝度及び輝度を調整される前の前記主映像信号の輝度に基づいて前記副映像信号のコントラストを調整し、
前記映像信号合成部は、輝度が調整された前記主映像信号と、輝度及びコントラストが調整された前記副映像信号と、を合成し、第２の映像信号を生成する、
ことを特徴とする請求項２に記載の映像再生装置。
【請求項８】
前記主映像信号を記憶し、遅延させて出力する記憶部を更に有し、
前記映像信号合成部は、輝度平均値を算出し前記記憶部から遅延させて出力された主映像信号と、その輝度平均値に基づいて輝度を調整された副映像信号と、を合成する、
ことを特徴とする請求項１に記載の映像再生装置。
【請求項９】
前の画面の主映像信号の輝度平均値と現在の画面の輝度平均値との差異が所定の閾値以下である場合、又は前の画面における副映像信号の輝度値と現在の画面の主映像信号の輝度平均値に対応する副映像信号の輝度値との差異が所定の閾値以下である場合、前記輝度調整部は、前記副映像信号の輝度を、現在の画面の主映像信号の輝度平均値に対応する値に所定の時定数でなるように調整し、
前の画面の主映像信号の輝度平均値と現在の画面の輝度平均値との差異が所定の閾値より大きい場合、又は前の画面における副映像信号の輝度値と現在の画面の主映像信号の輝度平均値に対応する副映像信号の輝度値との差異が所定の閾値より大きい場合、前記輝度調整部は、前記副映像信号の輝度を、現在の画面の主映像信号の輝度平均値に対応する値に直ちになるように調整する、
ことを特徴とする請求項１に記載の映像再生装置。
【請求項１０】
第１の映像信号を入力する映像信号入力ステップと、
前記第１の映像信号から抽出した副映像に関する情報から副映像信号を生成する副映像信号生成ステップと、
前記第１の映像信号から主映像信号を抽出し復号化する主映像信号復号ステップと、
前記主映像信号の輝度を検出し、輝度平均値を算出する輝度検出ステップと、
前記輝度平均値に基づいて前記副映像信号の輝度を調整する輝度調整ステップと、
前記主映像信号と輝度が調整された前記副映像信号とを合成し、第２の映像信号を生成する映像信号合成ステップと、
前記第２の映像信号を出力する映像信号出力ステップと、
を有することを特徴とする映像再生方法。
【請求項１１】
前記輝度平均値に基づいて前記副映像信号のコントラストを調整するコントラスト調整ステップを更に有し、
前記映像信号合成ステップにおいて、前記主映像信号と輝度及びコントラストが調整された前記副映像信号とを合成し、第２の映像信号を生成する、
ことを特徴とする請求項１０に記載の映像再生方法。
【請求項１２】
前記主映像信号のコントラストを検出するコントラスト検出ステップを更に有し、
前記輝度調整ステップにおいて、前記輝度平均値及び前記コントラストに基づいて、前記副映像信号の輝度を調整する、
ことを特徴とする請求項１０に記載の映像再生方法。
【請求項１３】
前記主映像信号のコントラストを検出するコントラスト検出ステップと、
前記コントラストに基づいて、又は前記輝度平均値及び前記コントラストに基づいて、前記副映像信号のコントラストを調整するコントラスト調整ステップと、
を更に有し、
前記映像信号合成ステップにおいて、前記主映像信号と輝度及びコントラストが調整された前記副映像信号とを合成し、第２の映像信号を生成する、
ことを特徴とする請求項１０に記載の映像再生方法。
【請求項１４】
前記第２の映像信号が表示される空間の輝度である外部輝度を検出する外部輝度検出ステップと、
前記外部輝度に基づいて前記主映像信号の輝度を調整する主映像輝度調整ステップと、を更に有し、
前記輝度検出ステップにおいて、輝度が調整された前記主映像信号の輝度を検出し、輝度平均値を算出し、
前記映像信号合成ステップにおいて、輝度が調整された前記主映像信号と、輝度が調整され又は輝度及びコントラストが調整された前記副映像信号とを合成し、第２の映像信号を生成する、
ことを特徴とする請求項１０又は請求項１１に記載の映像再生方法。
【請求項１５】
前記第２の映像信号が表示される空間の輝度である外部輝度を検出する外部輝度検出ステップと、
前記外部輝度に基づいて前記主映像信号の輝度を調整する主映像輝度調整ステップと、
を更に有し、
前記輝度調整ステップにおいて、前記外部輝度及び輝度を調整される前の前記主映像信号の輝度に基づいて前記副映像信号の輝度を調整し、
前記映像信号合成ステップにおいて、輝度が調整された前記主映像信号と輝度が調整された前記副映像信号とを合成し、第２の映像信号を生成する、
ことを特徴とする請求項１０に記載の映像再生方法。
【請求項１６】
前記第２の映像信号が表示される空間の輝度である外部輝度を検出する外部輝度検出ステップと、
前記外部輝度に基づいて前記主映像信号の輝度を調整する主映像輝度調整ステップと、
を更に有し、
前記コントラスト調整ステップにおいて、前記外部輝度及び輝度を調整される前の前記主映像信号の輝度に基づいて前記副映像信号のコントラストを調整し、
前記映像信号合成ステップにおいて、輝度が調整された前記主映像信号と、輝度及びコントラストが調整された前記副映像信号と、を合成し、第２の映像信号を生成する、
ことを特徴とする請求項１１に記載の映像再生方法。
【請求項１７】
前記主映像信号を記憶し、遅延させて出力する遅延ステップをさらに有し、
前記映像信号合成ステップにおいて、輝度平均値を算出し前記遅延ステップにより遅延させて出力された主映像信号と、その輝度平均値に基づいて輝度を調整された副映像信号と、を合成する、
ことを特徴とする請求項１０に記載の映像再生方法。
【請求項１８】
前記輝度調整ステップにおいて、
前の画面の主映像信号の輝度平均値と現在の画面の輝度平均値との差異が所定の閾値以下である場合、又は前の画面における副映像信号の輝度値と現在の画面の主映像信号の輝度平均値に対応する副映像信号の輝度値との差異が所定の閾値以下である場合、前記副映像信号の輝度を、現在の画面の主映像信号の輝度平均値に対応する値に所定の時定数でなるように調整し、
前の画面の主映像信号の輝度平均値と現在の画面の輝度平均値との差異が所定の閾値より大きい場合、又は前の画面における副映像信号の輝度値と現在の画面の主映像信号の輝度平均値に対応する副映像信号の輝度値との差異が所定の閾値より大きい場合、前記副映像信号の輝度を、現在の画面の主映像信号の輝度平均値に対応する値に直ちになるように調整する、
ことを特徴とする請求項１０に記載の映像再生方法。
【発明の詳細な説明】
【技術分野】
【０００１】
本発明は、映像再生装置及び映像再生方法に関する。
【背景技術】
【０００２】
ＤＶＤ等の記録媒体に格納された電子化されたデータ（以下、「コンテンツ」と言う。）や、動画配信サーバ、デジタル放送から配信されるコンテンツの内容は、映画、コンサート、スポーツなど多岐にわたる。これらのコンテンツのうち、映画のコンテンツの映像信号には、ＭＰＥＧ２方式で圧縮された主映像信号の他に字幕等の副映像情報が含まれる。
【０００３】
特開平４−３５４４８０号公報に、従来例の輝度制御回路が開示されている。従来例の輝度制御回路は、シネマ・スコープ・サイズ（本編の映像の上下に所定の幅の黒い部分が映し出され、下の黒い部分に字幕が映出される方式）の映像信号を入力し、映像信号のレベルが連続的に黒レベルとなったときに映像信号の字幕部分を検出し、字幕部分の文字の明るさ（輝度）を所定のレベルに制御する。
【特許文献１】特開平４−３５４４８０号公報
【発明の開示】
【発明が解決しようとする課題】
【０００４】
従来例の輝度制御回路は、字幕部分の文字の明るさを、本編の映像（主映像）の輝度とは無関係な所定のレベルに制御する。従って、本編の映像の輝度及び／又はコントラストが高い場合（画面が明るく及び／又はくっきりしている場合）、字幕部分が相対的に暗く及び／又はコントラストが低く見づらかった。逆に、本編の映像の輝度及び／又はコントラストが低い場合（画面が暗く及び／又は輪郭がソフトに表示されている場合）、字幕部分がぎらついて見づらかった。
【０００５】
本発明は上記従来の課題を解決するもので、主映像が明るいシーンでも暗いシーンでも、及び／又は主映像がくっきりした画面でもソフトな画面でも、見易い主映像及び副映像を表示し、ユーザの目の疲労度を最小限にできる映像再生装置及び映像再生方法を提供することを目的とする。
【課題を解決するための手段】
【０００６】
上記従来の課題を解決するため、本発明は以下の構成を有する。請求項１に記載の発明は、第１の映像信号を入力する映像信号入力部と、前記第１の映像信号から抽出した副映像に関する情報から副映像信号を生成する副映像信号生成部と、前記第１の映像信号から主映像信号を抽出し復号化する主映像信号復号部と、前記主映像信号の輝度を検出し、輝度平均値を算出する輝度検出部と、前記輝度平均値に基づいて前記副映像信号の輝度を調整する輝度調整部と、前記主映像信号と輝度が調整された前記副映像信号とを合成し、第２の映像信号を生成する映像信号合成部と、前記第２の映像信号を出力する映像信号出力部と、を有することを特徴とする映像再生装置である。
本発明の映像再生装置は、副映像信号の輝度を主映像信号の輝度平均値に基づいて調整する。即ち、主映像信号が明るい場合には副映像信号の輝度を高く、主映像信号が暗い場合には副映像信号の輝度を低く調整する。更に、主映像信号と輝度が調整された副映像信号とを合成して出力する。本発明は、ユーザにとって見やすく、目の疲労度が小さい映像信号を出力する映像再生装置を実現できるという作用を有する。「輝度平均値」は、映像信号が表示される領域（有効領域）全体の輝度平均値でも良く、又有効領域の所定の位置に位置する所定の領域の輝度平均値でも良い。「所定の位置」は、好ましくは有効領域の中心部である。
【０００７】
請求項２に記載の発明は、前記輝度平均値に基づいて前記副映像信号のコントラストを調整するコントラスト調整部を更に有し、前記映像信号合成部は、前記主映像信号と輝度及びコントラストが調整された前記副映像信号とを合成し、第２の映像信号を生成する、ことを特徴とする請求項１に記載の映像再生装置である。
本発明の映像再生装置は、副映像信号のコントラストを主映像信号の輝度平均値に基づいて調整する。即ち、主映像信号が明るい場合には副映像信号のコントラストを強くし、主映像信号が暗い場合には副映像信号のコントラストを弱く調整する。更に、主映像信号と輝度が調整された副映像信号とを合成して出力する。本発明は、ユーザにとって見やすく、目の疲労度が小さい映像信号を出力する映像再生装置を実現できるという作用を有する。
【０００８】
請求項３に記載の発明は、前記主映像信号のコントラストを検出するコントラスト検出部を更に有し、前記輝度調整部は、前記輝度平均値及び前記コントラストに基づいて、前記副映像信号の輝度を調整する、ことを特徴とする請求項１に記載の映像再生装置である。
本発明の映像再生装置は、副映像信号の輝度を主映像信号の輝度平均値及びコントラストに基づいて調整する。即ち、主映像信号が明るく又はそのコントラストが強い場合には副映像信号の輝度を高くし、主映像信号が暗く又はそのコントラストが弱い場合には副映像信号の輝度を低く調整する。更に、主映像信号と輝度が調整された副映像信号とを合成して出力する。本発明は、ユーザにとって見やすく、目の疲労度が小さい映像信号を出力する映像再生装置を実現できるという作用を有する。
【０００９】
請求項４に記載の発明は、前記主映像信号のコントラストを検出するコントラスト検出部と、前記コントラストに基づいて、又は前記輝度平均値及び前記コントラストに基づいて、前記副映像信号のコントラストを調整するコントラスト調整部と、を更に有し、前記映像信号合成部は、前記主映像信号と輝度及びコントラストが調整された前記副映像信号とを合成し、第２の映像信号を生成する、ことを特徴とする請求項１に記載の映像再生装置である。
本発明の映像再生装置は、副映像信号のコントラストを主映像信号の輝度平均値及びコントラストに基づいて調整する。即ち、主映像信号が明るく又はそのコントラストが強い場合には副映像信号のコントラストを強くし、主映像信号が暗く又はそのコントラストが弱い場合には副映像信号のコントラストを弱く調整する。更に、主映像信号と輝度が調整された副映像信号とを合成して出力する。本発明は、ユーザにとって見やすく、目の疲労度が小さい映像信号を出力する映像再生装置を実現できるという作用を有する。
【００１０】
請求項５に記載の発明は、前記第２の映像信号が表示される空間の輝度である外部輝度を検出する外部輝度検出部と、前記外部輝度に基づいて前記主映像信号の輝度を調整する主映像輝度調整部と、を更に有し、前記輝度検出部は輝度が調整された前記主映像信号の輝度を検出し、輝度平均値を算出し、前記映像信号合成部は、輝度が調整された前記主映像信号と、輝度が調整され又は輝度及びコントラストが調整された前記副映像信号とを合成し、第２の映像信号を生成する、ことを特徴とする請求項１又は請求項２に記載の映像再生装置である。
本発明の映像再生装置は、外部光の輝度に応じて主映像信号の輝度を調整し、その後に主映像信号の輝度平均値を算出し、その輝度平均値に基づいて副映像信号の輝度を調整する。映像を表示するディスプレイに外光が入るとユーザにとって見づらくなる。本発明の映像再生装置は、表示装置が設置された場所の照度が高ければ、主映像信号の輝度を高くし、それに応じて副映像信号の輝度を高くし、又は副映像信号の輝度を高くし、コントラストを強くする。表示装置が設置された場所の照度が低ければ、主映像信号の輝度を低くし、それに応じて副映像信号の輝度を低くし、又は副映像信号の輝度を低くし、コントラストを弱くする。本発明は、ユーザにとって見やすく、目の疲労度が小さい映像信号を出力する映像再生装置を実現できるという作用を有する。
「外部輝度」とは、第２の映像信号を表示する表示装置が設置された場所の照度である。典型的には、映像信号出力部に接続される表示装置（ディスプレイ装置）のディスプレイ画面の周辺に配置され、ディスプレイ画面に向って外部から照射される光の一部を入力する光検出素子の出力信号（入力光量に応じた出力信号）である。
【００１１】
請求項６に記載の発明は、前記第２の映像信号が表示される空間の輝度である外部輝度を検出する外部輝度検出部と、前記外部輝度に基づいて前記主映像信号の輝度を調整する主映像輝度調整部と、を更に有し、前記輝度調整部は、前記外部輝度及び輝度を調整される前の前記主映像信号の輝度に基づいて前記副映像信号の輝度を調整し、前記映像信号合成部は、輝度が調整された前記主映像信号と輝度が調整された前記副映像信号とを合成し、第２の映像信号を生成する、ことを特徴とする請求項１に記載の映像再生装置である。
本発明は、ユーザにとって見やすく、目の疲労度が小さい映像信号を外部輝度に応じて出力する映像再生装置を実現できるという作用を有する。
【００１２】
請求項７に記載の発明は、前記第２の映像信号が表示される空間の輝度である外部輝度を検出する外部輝度検出部と、前記外部輝度に基づいて前記主映像信号の輝度を調整する主映像輝度調整部と、を更に有し、前記コントラスト調整部は、前記外部輝度及び輝度を調整される前の前記主映像信号の輝度に基づいて前記副映像信号のコントラストを調整し、前記映像信号合成部は、輝度が調整された前記主映像信号と、輝度及びコントラストが調整された前記副映像信号と、を合成し、第２の映像信号を生成する、ことを特徴とする請求項２に記載の映像再生装置である。
本発明は、ユーザにとって見やすく、目の疲労度が小さい映像信号を外部輝度に応じて出力する映像再生装置を実現できるという作用を有する。
【００１３】
請求項８に記載の発明は、前記主映像信号を記憶し、遅延させて出力する記憶部を更に有し、前記映像信号合成部は、輝度平均値を算出し前記記憶部から遅延させて出力された主映像信号と、その輝度平均値に基づいて輝度を調整された副映像信号と、を合成する、ことを特徴とする請求項１に記載の映像再生装置である。
主映像信号を遅延させる記憶部がなければ、１フレーム（又は１フィールド）の主映像信号の輝度平均値に基づいて、次フレーム（又は次フィールド）の副映像信号の輝度が調整される。しかしこの構成によれば、例えば主映像の画面が切り換わって主映像信号の輝度平均値が急に変化した場合、副映像信号の輝度は１フレーム（又は１フィールド）遅れて調整されることになる。主映像信号の輝度変化タイミングと副映像信号の輝度変化タイミングとのずれは、ユーザに視覚的な違和感を与える。本発明は、主映像信号の輝度平均値が急に変化した場合にも、主映像信号と副映像信号とは同時に輝度変化する映像再生装置を実現できるという作用を有する。主映像信号の輝度平均値が急に変化した場合にも、ユーザに視覚的な違和感を与えることなく、副映像信号の輝度が変化する。
【００１４】
請求項９に記載の発明は、前の画面の主映像信号の輝度平均値と現在の画面の輝度平均値との差異が所定の閾値以下である場合、又は前の画面における副映像信号の輝度値と現在の画面の主映像信号の輝度平均値に対応する副映像信号の輝度値との差異が所定の閾値以下である場合、前記輝度調整部は、前記副映像信号の輝度を、現在の画面の主映像信号の輝度平均値に対応する値に所定の時定数でなるように調整し、
前の画面の主映像信号の輝度平均値と現在の画面の輝度平均値との差異が所定の閾値より大きい場合、又は前の画面における副映像信号の輝度値と現在の画面の主映像信号の輝度平均値に対応する副映像信号の輝度値との差異が所定の閾値より大きい場合、前記輝度調整部は、前記副映像信号の輝度を、現在の画面の主映像信号の輝度平均値に対応する値に直ちになるように調整する、ことを特徴とする請求項１に記載の映像再生装置である。
主映像信号の輝度変化に応じて副映像信号の輝度が絶えず微妙に変化すると、ユーザにとってわずらわしく、目の疲労度が大きくなる。一方、主映像信号の輝度平均値が急に変化した場合、副映像信号の輝度変化が遅れると、ユーザに視覚的な違和感を与える。本発明は、主映像信号の輝度変化が小さい場合には安定した輝度の副映像信号を出力し、主映像信号の輝度平均値が急に変化した場合、副映像信号が同じタイミングで急変化する映像再生装置を実現できるという作用を有する。
「前の画面の主映像信号の輝度平均値」は、直前の画面の主映像信号の輝度平均値であっても良い。例えば所定の演算式で、現在より前の複数の画面の主映像信号について所定のウエイトを持って平均輝度値を算出しても良い。
「副映像信号の輝度を、現在の画面の輝度平均値に対応する値に所定の時定数でなるように調整」する方法は、任意である。
【００１５】
本発明の別の観点による映像再生方法は、上記の映像再生装置と同様の技術的思想によるものである。
【発明の効果】
【００１６】
本発明の映像再生装置及び映像再生装置は、主映像の輝度及び／又はコントラストに応じて副映像の輝度及び／又はコントラストを制御することができ、ユーザの目の疲労度を最小限にできるという有利な効果を奏する。
【発明を実施するための最良の形態】
【００１７】
以下本発明の実施をするための最良の形態を具体的に示した実施の形態について、図面とともに記載する。
【００１８】
《実施の形態１》
図１〜図４を用いて、本発明の実施の形態１の映像再生装置（映像再生方法を含む）を説明する。
図１は、本発明の実施の形態１の映像再生装置の構成を示すブロック図である。実施の形態１の映像再生装置は、ＤＶＤ（図示しない）から読み出した映像信号を入力し、映像信号から主映像信号（本編の映像）及び字幕などの副映像情報を抽出し、主映像に副映像を付加し、外部の表示装置（図示しない）に出力する。実施の形態１において、映像信号はデジタルデータストリームであり、ＭＰＥＧ２方式で圧縮された主映像信号及び字幕等の副映像の情報を含む。主映像信号は、動画の画像データであり、その輝度は時間変化する。典型的には字幕を表示する副映像信号の輝度は通常、時間変化しない。実施の形態１の映像再生装置は、主映像信号の輝度平均値に基づいて副映像信号の輝度を調整する。
【００１９】
図１において、１は映像信号入力部、２は主映像信号復号部、３はバッファメモリ、４は映像信号合成部、５は映像信号出力部、６は副映像情報抽出部、７は副映像信号生成部、８は輝度検出部、１０は輝度調整部である。輝度検出部８は輝度平均値演算部９を有する。輝度調整部１０は、主映像輝度／副映像輝度対応テーブル１１を有する。
【００２０】
実施の形態１の映像再生装置の各ブロックの動作を説明する。映像信号入力部１は映像信号（第１の映像信号）を入力し、主映像信号復号部２及び副映像情報抽出部６に転送する。主映像信号復号部２は、第１の映像信号から圧縮された主映像信号を抽出し、伸張し、主映像信号をバッファメモリ３及び輝度検出部８に転送する。バッファメモリ３は、主映像信号を格納し、遅延して出力する。副映像情報抽出部６は、第１の映像信号から副映像情報を抽出し、副映像信号生成部７に転送する。実施の形態１において副映像情報は、主映像上に表示される字幕の内容及び字幕の表示位置である。副映像信号生成部７は、副映像情報に基づいて副映像信号を生成し、輝度調整部１０に転送する。副映像信号は、字幕のビットマップパターンである。輝度検出部８の輝度平均値演算部９は、主映像信号の輝度平均値を算出する。輝度平均値の算出方法は、後述する。輝度調整部１０は、主映像信号の輝度平均値に基づいて副映像の輝度を調整し、副映像信号を映像信号合成部４に転送する。副映像の輝度の調整方法は後述する。映像信号合成部４は、輝度調整部１０が主映像信号の輝度平均値に基づいて輝度を調整し出力した副映像信号と、バッファメモリ３から時間同期を取って読み出したその主映像信号と、を合成し、主映像信号と副映像信号とを合成した映像信号（第２の映像信号）を、映像信号出力部５に転送する。２つの映像信号を合成する方法は任意である。例えば主映像信号の所定の領域の信号を副映像信号に置き換えても良い（いわゆるノンアディティブミックス）。所定の領域は、輪郭部分を含む文字表示であっても良く、その中に文字表示を含む矩形の背景領域であっても良い。例えば主映像信号の輝度に文字表示である副映像信号の輝度を加算した第２の映像信号を生成しても良い（いわゆるアディティブミックス）。副映像信号の所定の輝度レベルを加算計算上の０レベルとし、副映像信号の輪郭部分では、第２の映像信号の輝度を主映像信号の元の輝度より低くしても良い。映像信号出力部５は、字幕付きの映像信号（第２の映像信号）を外部の表示装置に転送する。
【００２１】
次に、図２及び図３を用い、輝度平均値演算部９において主映像信号の輝度平均値を算出する方法を説明する。輝度平均値演算部９は、１フィールドごとに主映像信号の輝度平均値を算出する。図２は、映像信号表示領域と平均値計算領域を示す説明図である。図２において、映像信号表示領域２０１はｎ番目のフィールドの主映像信号の表示領域である。平均値計算領域２０２は、映像信号表示領域２０１から上部Ｈ１ピクセル、下部Ｈ２ピクセル、及び左Ｗ１ピクセル、右Ｗ２ピクセルの領域を取り除いた長方形の形状を有する領域である。輝度平均値演算部９は、平均値計算領域２０２内の主映像信号から、輝度平均値を算出する。
【００２２】
図３は、平均値計算領域２０２内での平均値計算方法を示す説明図である。平均値計算領域２０２は、ｍ個の小領域３００−１、３００−２、３００−３、・・・、３００−ｍに分割される。それぞれの小領域は縦が所定のピクセル数（例えば、６ピクセル）、横が所定のピクセル数（例えば、８ピクセル）の長方形の形状を有する。輝度平均値演算部９は、それぞれの小領域内で輝度の最大値と最小値の平均値ｙ（ｋ）（但し、１≦ｋ≦ｍである）を計算し、更に平均値計算領域２０２全体でのｙ（ｋ）の平均値（即ち、Σｙ（ｋ）／ｍ）を算出する。更に、輝度平均値演算部９は、１フィールド前（即ち、ｎ−１番目のフィールド）の輝度平均値Ｙ（ｎ−１）と、ｎ番目のフィールドのｙ（ｋ）の輝度平均値Σｙ（ｋ）／ｍとの中間値（移動平均値）を算出し、ｎ番目のフィールドの主映像信号の輝度平均値Ｙ（ｎ）とする。
Ｙ（ｎ）＝｛Σｙ（ｋ）／ｍ＋Ｙ（ｎ−１）｝／２
これに代えて、Ｙ（ｎ）＝ａ・Σｙ（ｋ）／ｍ＋（１−ａ）・Ｙ（ｎ−１）としても良い（ａは０＜ａ＜１の任意の値）。ａが０に近い値であれば、主映像信号の輝度変化に対して副映像信号の輝度は安定であり、変化が遅い。ａが１に近い値であれば、主映像信号の輝度変化に対して副映像信号の輝度は高い応答性で変化する。ａの値は、種々の映像について視聴者が合成画面を見て受ける印象を調査し、最適な値に定めることができる。実施の形態１の演算式は、ａ＝０．５に相当する。
【００２３】
なお、図２においてＷ１＝Ｗ２及びＨ１＝Ｈ２としても良い。Ｗ１＝Ｗ２＝Ｈ１＝Ｈ２としても良い。Ｗ１＝Ｗ２＝０及び／又はＨ１＝Ｈ２＝０としても良い。Ｗ１＝Ｗ２＝０及びＨ１＝Ｈ２＝０の場合、平均値計算領域２０２は表示画面全体である。図３において、小領域を１つのピクセルとしても良い。
【００２４】
次に、図４を用いて輝度調整部１０が副映像信号の輝度を調整する方法を説明する。図４は、本発明の実施の形態１の輝度調整方法のフローチャートである。ステップ４０１で輝度調整部１０は、主映像輝度／副映像輝度対応テーブル１１から、現フィールド（ｎ番目のフィールド）の主映像信号の輝度平均値Ｙ（ｎ）に対応する、副映像信号の基準輝度Ｄ（ｉ）（目標輝度）を読み取る（１≦ｉ≦ｐ）。主映像輝度／副映像輝度対応テーブル１１には、主映像信号の輝度平均値を複数の階調（例えばｐ階調。ｐは２以上の任意の正整数）に分けたときの各階調の上限値、下限値及びその階調に対応する副映像信号の基準輝度が書き込まれている。例えば、０≦Ｙ（ｎ）＜ｄ（１）の時の副映像信号の基準輝度をＤ（１）、ｄ（１）≦Ｙ（ｎ）＜ｄ（２）の時の副映像信号の基準輝度をＤ（２）、・・・、ｄ（ｐ−１）≦Ｙ（ｎ）＜ｄ（ｐ）の時の副映像信号の基準輝度をＤ（ｐ）とする（但し、０＜ｄ（１）＜ｄ（２）＜・・・＜ｄ（ｐ）、Ｄ（１）＜Ｄ（２）・・・＜Ｄ（ｐ））。
ステップ４０２で輝度調整部１０は、現フィールドの副映像信号の基準輝度Ｄ（ｉ）と、前フィールドの副映像信号の実際の輝度Ｙｓ（ｎ−１）との差の大きさΔＹｓ＝Ｄ（ｉ）−Ｙｓ（ｎ−１）を算出する。ステップ４０３で、ΔＹｓが所定の閾値以上か否か判断する。
【００２５】
ΔＹｓが所定の閾値以上の場合は、現フィールドの副映像信号の実際の輝度を直ちに基準輝度Ｄ（ｉ）とし（ステップ４０４）、ΔＹｓが所定の閾値未満の場合は、現フィールドの副映像信号の実際の輝度を、現在の実際の輝度Ｙｓ（ｎ−１）から所定の時定数で次第に基準輝度Ｄ（ｉ）に近づくようにする。実施の形態１においては、現フィールドの副映像信号の実際の輝度Ｙｓ（ｎ）をＹｓ（ｎ−１）＋ｃとする（ステップ４０５）。ここでｃは、現在の実際の輝度Ｙｓ（ｎ−１）と基準輝度Ｄ（ｉ）とから計算される値であり、Ｙｓ（ｎ−１）＜Ｄ（ｉ）であれば、Ｙｓ（ｎ−１）＜Ｙｓ（ｎ−１）＋ｃ＜Ｄ（ｉ）という関係を満たす。例えば、Ｔ秒間をかけて副映像信号の実際の輝度を、現在の実際の輝度Ｙｓ（ｎ−１）から基準輝度Ｄ（ｉ）に変える場合、ｃ＝｛Ｄ（ｉ）−Ｙｓ（ｎ−１）｝／Ｔとしても良い。ｃ＝±１としても良い。この場合、副映像信号の実際の輝度Ｙｓを、所定の時間毎にインクリメント又はデクリメントして、基準輝度Ｄ（ｉ）に収束させる。
【００２６】
次ぎに図４のフローチャートを実行した場合、ステップ４０５で副映像信号の実際の輝度Ｙｓ（ｎ＋１）＝Ｙｓ（ｎ）＋ｃとし、更に次には、ステップ４０５で副映像信号の実際の輝度Ｙｓ（ｎ＋２）＝Ｙｓ（ｎ＋１）＋ｃとする。
ステップ４０６で輝度調整部１０は、副映像信号の輝度（実施の形態１では、字幕の白い文字の輝度レベル）をステップ４０４又はステップ４０５で決定した値に調整し、処理を終了する。
【００２７】
図４のフローチャートに示した輝度調整方法によれば、主映像信号の輝度平均値がＹ（ｎ）のまま時間変化しない場合、副映像信号の輝度は徐々に基準輝度Ｄ（ｉ）に収束する。副映像信号の輝度を徐々に基準輝度Ｄ（ｉ）に収束させる方法は任意であって、副映像信号の輝度を非線形に変化させても良い。
【００２８】
実施の形態１の構成に代えて、ステップ４０２において、輝度調整部１０は、現フィールドの主映像信号の輝度平均値Σｙ（ｋ）／ｍと、前フィールドの主映像信号の平均輝度値Ｙ（ｎ−１）との差の大きさΔＹ＝Σｙ（ｋ）／ｍ−Ｙ（ｎ−１）を算出しても良い。ステップ４０３で、ΔＹの絶対値が所定の閾値以上か否か判断する。
ΔＹが所定の閾値より大きい場合は、現フィールドの主映像信号の平均輝度値をＹ（ｎ）＝Σｙ（ｋ）／ｍとし、Ｙ（ｎ）＝Σｙ（ｋ）／ｍに対応する副映像信号の基準輝度Ｄ（ｉ）をテーブルから読み出す。現フィールドの副映像信号の実際の輝度を直ちに基準輝度Ｄ（ｉ）とする（ステップ４０４）。
【００２９】
ΔＹが所定の閾値以下の場合は、現フィールドの主映像信号の平均輝度値をＹ（ｎ）＝｛Σｙ（ｋ）／ｍ＋Ｙ（ｎ−１）｝／２とし、Ｙ（ｎ）に対応する副映像信号の基準輝度をＤ（ｉ）とした場合、現フィールドの副映像信号の実際の輝度Ｙｓ（ｎ）をＹｓ（ｎ−１）＋ｃとする（ステップ４０５）。ｃは、現在の実際の輝度Ｙｓ（ｎ−１）と基準輝度Ｄ（ｉ）とから計算される値である。
ステップ４０６で輝度調整部１０は、副映像信号の輝度（実施の形態１では、字幕の白い文字の輝度レベル）をステップ４０４又はステップ４０５で決定した値に調整し、処理を終了する。
【００３０】
上記の輝度調整方法によれば、前の画面の主映像信号の輝度平均値と現在の画面の輝度平均値との差異が所定の閾値以下である場合、又は前の画面における副映像信号の実際の輝度と現在の画面の副映像信号の基準輝度（主映像信号の輝度平均値に対応する値）との差異が所定の閾値以下である場合、輝度調整部１０は、副映像信号の輝度を、現在の画面の基準輝度に所定の時定数でなるように調整する。即ち、輝度調整部１０は、副映像信号の輝度の時間変化又は主映像信号の輝度平均値の時間変化が小さい場合には、副映像信号の実際の輝度Ｙｓ（ｎ）を徐々に基準輝度に収束させる。
【００３１】
前の画面の主映像信号の輝度平均値と現在の画面の輝度平均値との差異が所定の閾値より大きい場合、又は前の画面における副映像信号の実際の輝度と現在の画面の副映像信号の基準輝度との差異が所定の閾値より大きい場合、輝度調整部１０は、副映像信号の輝度を、現在の画面の基準輝度に直ちになるように調整する。即ち、輝度調整部１０は、主映像信号の輝度平均値の時間変化が大きい場合には、副映像信号の輝度をすぐに主映像信号の輝度に追随させる。従って、主映像信号の輝度変化に対する副映像信号の輝度変化の遅れは生じない。
【００３２】
実施の形態１において、輝度平均値演算部９は、主映像信号の輝度平均値の移動平均値を算出し、輝度調整部１０に出力する。従って、主映像信号の輝度平均値が一時的に大きく時間変化しても、副映像がちらつかない。
実施の形態１の映像再生装置及び映像再生方法によれば、主映像信号の輝度が高い場合には副映像信号の輝度は高く、主映像信号の輝度が低い場合には副映像信号の輝度は低く調整される。従って、ユーザにとって目の疲労度が小さく見やすい映像信号を出力することができる。
【００３３】
《実施の形態２》
図２、図５及び図６を用いて、本発明の実施の形態２の映像再生装置（映像再生方法を含む）を説明する。
図５は、本発明の実施の形態２の映像再生装置の構成を示すブロック図である。実施の形態２の映像再生装置は、実施の形態１の映像再生装置にコントラスト検出部１２及びコントラスト調整部１４を加えたものである。コントラスト検出部１２は、コントラスト演算部１３を有する。コントラスト調整部１４は、副映像コントラスト調整用パラメータテーブル１５を有する。この他の構成は実施の形態１の映像再生装置と同じであるので、共通のブロックには共通の符号を付し、説明を省略する。実施の形態２の映像再生装置は、主映像信号の輝度平均値に基づいて副映像信号の輝度を調整し、更に主映像信号の輝度平均値及びコントラストに基づいて副映像信号のコントラストを調整する。
【００３４】
コントラスト検出部１２の動作を説明する。コントラスト検出部１２は、主映像信号復号部２から主映像信号を受信する。コントラスト演算部１３は、１フィールドごとに平均値計算領域２０２（図２）内の主映像信号を抽出し、所定の帯域（例えば１〜１．５ＭＨｚの周波数帯域）を通過させるバンドパスフィルタを施し、その二乗平均振幅を算出する。コントラスト検出部１２は、主映像信号の二乗平均振幅の値をコントラスト調整部１４に送信する。
【００３５】
コントラスト調整部１４は、副映像信号のコントラストを調整する。コントラスト調整部１４が内蔵する副映像コントラスト調整用パラメータテーブル１５には、輝度検出部８が検出した主映像信号の輝度平均値と、コントラスト検出部１２が算出した二乗平均振幅と、をパラメータとするコントラスト値の目標値Ｇ（ｉ，ｊ）が書き込まれている（１≦ｉ≦ｐ、１≦ｊ≦ｑ）。主映像信号の輝度平均値はｐ階調（ｐは２以上の任意の正整数）に分けられ、主映像信号のコントラストはｑ階調（ｑは２以上の任意の正整数）に分けられる。副映像コントラスト調整用パラメータテーブル１５には、各階調の上限値、下限値も書き込まれている。
Ｇ（ｉ，ｊ）は、副映像信号のコントラスト値Ｘ（ｎ）の目標値である。副映像信号の実際のコントラスト値をＸ（ｎ）とする。
【００３６】
コントラスト調整部１４は、現フィールドの副映像信号の基準輝度Ｄ（ｊ）と、前フィールドの副映像信号の実際の輝度Ｙｓ（ｎ−１）との差の大きさΔＹｓ＝Ｄ（ｊ）−Ｙｓ（ｎ−１）を算出し、ΔＹｓが所定の閾値以上か否か判断する。
ΔＹｓが所定の閾値以上の場合は、現フィールドの副映像信号の実際のコントラスト値Ｘ（ｎ）を直ちに目標値Ｇ（ｉ，ｊ）とする。ΔＹｓが所定の閾値未満の場合は、現フィールドの副映像信号の実際のコントラスト値Ｘ（ｎ）を、現在の実際のコントラスト値Ｘ（ｎ−１）から所定の時定数で次第に目標値Ｇ（ｉ，ｊ）に近づくようにする。例えば、副映像信号の実際のコントラスト値Ｘを、所定の時間毎にインクリメント又はデクリメントして、目標値Ｇ（ｉ，ｊ）に収束させる。
【００３７】
実施の形態２の構成に代えて、コントラスト調整部１４は、現フィールドの主映像信号の輝度平均値Σｙ（ｋ）／ｍと、前フィールドの主映像信号の平均輝度値Ｙ（ｎ−１）との差の大きさΔＹ＝Σｙ（ｋ）／ｍ−Ｙ（ｎ−１）を算出しても良い。ΔＹの絶対値が所定の閾値以上か否か判断する。
ΔＹが所定の閾値より大きい場合は、コントラスト調整部１４は、現フィールドの主映像信号の平均輝度値をＹ（ｎ）＝Σｙ（ｋ）／ｍとし、Ｙ（ｎ）＝Σｙ（ｋ）／ｍに対応する副映像信号のコントラストの目標値Ｇ（ｉ，ｊ）をテーブルから読み出す。現フィールドの副映像信号の実際のコントラスト値Ｘを直ちに目標値Ｇ（ｉ，ｊ）とする。
ΔＹが所定の閾値以下の場合は、現フィールドの主映像信号の平均輝度値をＹ（ｎ）＝｛Σｙ（ｋ）／ｍ＋Ｙ（ｎ−１）｝／２とし、Ｙ（ｎ）に対応する副映像信号のコントラストの目標値Ｇ（ｉ，ｊ）をテーブルから読み出す。現フィールドの副映像信号の実際のコントラスト値Ｘ（ｎ）を、現在の実際のコントラスト値Ｘ（ｎ−１）から所定の時定数で次第に目標値Ｇ（ｉ，ｊ）に近づくようにする。
【００３８】
図６は、本発明の実施の形態２のコントラスト調整方法の説明図である。図６の波形Ａ、Ｂ、Ｃ、Ｄ、Ｅ、Ｆの横軸は水平方向のピクセル数、縦軸は輝度である。図６において、Ａはコントラストを調整する前の副映像の輝度信号の一例である。輝度信号のレベルは、輝度調整部１０によって調整されている。現フィールドの副映像信号の実際のコントラスト値Ｘ（ｎ）をｈとする。始めに、輝度信号Ａを横軸の正の方向に所定のピクセル数ｈだけ移動する（信号Ｂ）。次に、輝度信号Ｂを横軸の正の方向に所定のピクセル数ｈだけ移動する（信号Ｃ）。信号Ａから信号Ｂを引き、信号Ｄを得る。信号Ｂから信号Ｃを引き、信号Ｅを得る。信号Ｂから信号Ｄを引き信号Ｅを加えた信号Ｆ（＝Ｂ−Ｄ＋Ｅ）が、コントラストが調整された副映像信号である。信号Ｆは、信号Ａの輪郭を横方向に強調した信号（文字の左右に強調された輪郭が付いた信号）である。コントラスト調整部１４は、縦方向についても同様にコントラストを調整する。図６において、横軸を垂直方向の水平ライン数として、横方向と同様の信号処理を行うことにより、信号Ａの輪郭を縦方向に強調した信号Ｆ（文字の上下に強調された輪郭が付いた信号）が得られる。
【００３９】
コントラスト値Ｘ（ｎ）が大きい場合、輪郭の強調されたピーク黒レベルの幅及びピーク白レベルの幅が広い。コントラスト値Ｘ（ｎ）が小さい場合、輪郭の強調されたピーク黒レベルの幅及びピーク白レベルの幅が狭い。実施の形態２に代えて、コントラスト値Ｘ（ｎ）により、ピーク黒レベルの深さ及びピーク白レベルの高さを変化させても良い。ピーク黒レベルの深さ及び幅と、ピーク白レベルの高さ及び幅を変化させても良い。
映像信号合成部４は、輝度調整部１０及びコントラスト調整部１４が主映像信号の輝度平均値及び二乗平均振幅に基づいて輝度及びコントラストを調整し出力した副映像信号と、バッファメモリ３から時間同期を取って読み出したその主映像信号と、を合成し、主映像信号と副映像信号とを合成した映像信号（第２の映像信号）を、映像信号出力部５に転送する。
【００４０】
実施の形態２の映像再生装置及び映像再生方法によれば、主映像信号の輝度が高い場合には副映像信号の輝度は高く、主映像信号の輝度が低い場合には副映像信号の輝度は低く調整される。更に、主映像信号の輝度が高い場合又はコントラストが大きい場合には副映像信号のコントラストは大きく、主映像信号の輝度が低い場合又はコントラストが小さい場合には副映像信号のコントラストは小さく調整される。従って、ユーザにとって目の疲労度が小さく見やすい映像信号を出力することができる。
【００４１】
輝度検出部８とコントラスト検出部１２とを１つのブロックにまとめ、主映像信号の輝度平均値とコントラストとを同時に算出する構成としても良い。
輝度調整部１０とコントラスト調整部１４とを１つのブロックにまとめ、副映像信号の輝度調整とコントラストの調整とを同時に行っても良い。
始めに副映像信号のコントラストを調整し、その後輝度の調整を行う構成としても良い。
【００４２】
《実施の形態３》
図７を用いて、本発明の実施の形態３の映像再生装置（映像再生方法を含む）を説明する。
図７は、本発明の実施の形態３の映像再生装置の構成を示すブロック図である。実施の形態３の映像再生装置は、実施の形態１の映像再生装置に外部輝度検出部１６及び主映像輝度調整部１７を加えたものである。この他の構成は実施の形態１の映像再生装置と同じであるので、共通のブロックには共通の符号を付し、説明を省略する。  実施の形態３の映像再生装置は、主映像信号の輝度を外部光の輝度に応じて調整した後で主映像信号の輝度平均値を算出し、その輝度平均値に基づいて副映像信号の輝度を調整する。「外部光の輝度」とは、映像信号出力部５から出力される映像信号（第２の映像信号）が表示される場所の輝度である。典型的には、映像信号出力部５に接続される表示装置（図示しない）の表示画面の照度である。実施の形態においては、映像信号出力部５に接続される表示装置（ディスプレイ装置）のディスプレイ画面の周辺に配置され、ディスプレイ画面に向って外部から照射される光の一部を入力する光検出素子の出力信号（入力光量に応じた出力信号）である。
【００４３】
外部輝度検出部１６は、映像信号出力部５から出力される映像信号（第２の映像信号）が表示される場所の外部輝度（照度）を検出し、主映像輝度調整部１７に送信する。主映像輝度調整部１７は、主映像信号復号部２から入力した主映像信号の輝度を、外部光の輝度に応じて調整し、バッファメモリ３及び輝度検出部８に転送する。主映像信号の輝度は、外部光の輝度が高い時（明るい時）には高く、外部光の輝度が低い時（暗い時）には低く調整される。
【００４４】
輝度検出部８は、輝度が調整された主映像信号を入力し、実施の形態１と同様の方法で輝度平均値を算出する。輝度調整部１０は、主映像信号の輝度平均値に基づいて副映像信号生成部７から受信した副映像信号の輝度を実施の形態１と同様の方法で調整し、映像信号合成部４に転送する。映像信号合成部４は、バッファメモリ３から読み出した主映像信号と輝度調整部１０から受信した副映像信号とを時間同期をとって合成し、合成した映像信号（第２の映像信号）を、映像信号出力部５に転送する。映像信号出力部５は、字幕付きの映像信号（第２の映像信号）を外部の表示装置に転送する。
【００４５】
実施の形態３の映像表示装置は、映像信号出力部５から出力される映像信号（第２の映像信号）が表示される場所の外部輝度（照度）に応じて主映像信号の輝度を調整し、更にその主映像信号の輝度平均値に基づいて副映像信号の輝度を調整する。外部輝度が高ければ副映像信号の輝度は高く調整され、外部輝度が低ければ副映像信号の輝度は低く調整される。副映像信号の輝度は見易い明るさに調整される。本発明の映像再生装置は、ユーザの目の疲労度が小さい映像を出力することができる。
【００４６】
《実施の形態４》
図８を用いて、本発明の実施の形態４の映像再生装置（映像再生方法を含む）を説明する。
図８は、本発明の実施の形態４の映像再生装置の構成を示すブロック図である。実施の形態４の映像再生装置は、実施の形態３の映像再生装置の輝度調整部１０を輝度調整部１８に置き換えたものである。輝度調整部１８は、主映像輝度・外部輝度／副映像輝度対応テーブル１９を有する。実施の形態３の映像再生装置と共通のブロックには共通の符号を付し、説明を省略する。
【００４７】
実施の形態４の映像再生装置は、外部光の輝度（照度）に基づいて輝度を調整した主映像信号と、外部光の輝度（照度）及び輝度が調整されていない主映像信号の輝度平均値に基づいて輝度を調整した副映像信号とを、時間同期を取って合成し、出力する。
外部輝度検出部１６は、映像信号出力部５から出力される映像信号（第２の映像信号）が表示される場所の輝度（照度）を検出し、主映像輝度調整部１７及び輝度調整部１８に送信する。主映像輝度調整部１７は、主映像信号復号部２から入力した主映像信号の輝度を、外部光の輝度に応じて調整し、バッファメモリ３に転送する。主映像信号の輝度は、外部光の輝度が高い時には高く、外部光の輝度が低い時には低く調整される。
【００４８】
輝度検出部８は、主映像信号復号部２から主映像信号（外部光の輝度に応じた輝度調整が行われていない主映像信号）を入力し、実施の形態１と同様の方法で輝度平均値を算出する。輝度調整部１８は、主映像信号の輝度平均値及び外部光の輝度に基づいて、副映像信号生成部７から受信した副映像信号の輝度を調整し、映像信号合成部４に転送する。主映像輝度・外部輝度／副映像輝度対応テーブル１９には、主映像信号の輝度平均値及び外部光の輝度を複数の階調に分けたときの各階調の上限値、下限値及び対応する副映像信号の輝度が書き込まれている。主映像の輝度平均値が高い場合又は外部輝度が高い場合、副映像信号の輝度は高く調整される。主映像の輝度平均値が低い場合又は外部輝度が低い場合、副映像信号の輝度は低く調整される。
【００４９】
映像信号合成部４は、バッファメモリ３から読み出した主映像信号と、輝度調整部１８から受信した副映像信号とを時間同期を取って合成し、合成した信号（第２の映像信号）を、映像信号出力部５に転送する。映像信号出力部５は、字幕付きの映像信号（第２の映像信号）を外部の表示装置に転送する。
【００５０】
実施の形態４の映像表示装置は、外部光の輝度に基づいて輝度を調整した主映像信号と、外部光の輝度及び主映像信号の輝度平均値に基づいて輝度を調整した副映像信号とを合成し、出力する。従って、ユーザの目の疲労度が小さい映像を出力することができる。
なお、輝度調整部１８において、外部光の輝度のみに応じて副映像信号の輝度を調整する構成としても良い。
【００５１】
《実施の形態５》
図９を用いて、本発明の実施の形態５の映像再生装置（映像再生方法を含む）を説明する。
図９は、本発明の実施の形態５の映像再生装置の構成を示すブロック図である。実施の形態５の映像再生装置は、実施の形態３の映像再生装置にコントラスト検出部１２及びコントラスト調整部１４を加えたものである。コントラスト調整部１４は、副映像コントラスト調整用パラメータテーブル１５を有する。この他の構成は実施の形態３の映像再生装置と同じであるので、共通のブロックには共通の符号を付し、説明を省略する。
【００５２】
実施の形態５の映像再生装置は、主映像信号の輝度を外部光の輝度に応じて調整した後で主映像信号の輝度平均値及びコントラストを算出し、その輝度平均値に基づいて副映像信号の輝度を調整し、その輝度平均値及びコントラストに基づいて副映像信号のコントラストを調整する。
【００５３】
コントラスト検出部１２は、輝度が調整された主映像信号を入力し、実施の形態２と同様の方法でコントラスト値を算出する。コントラスト調整部１４は、主映像信号の輝度平均値及びコントラストに基づいて輝度調整部１０から受信した副映像信号のコントラストを実施の形態２と同様の方法で調整し、映像信号合成部４に転送する。映像信号合成部４は、バッファメモリ３から読み出した主映像信号と、コントラスト調整部１４から受信した副映像信号とを時間同期をとって合成し、合成した映像信号（第２の映像信号）を、映像信号出力部５に転送する。映像信号出力部５は、字幕付きの映像信号（第２の映像信号）を外部の表示装置に転送する。
【００５４】
実施の形態５の映像表示装置は、映像信号出力部５から出力される映像信号（第２の映像信号）が表示される場所の外部輝度（照度）に応じて主映像信号の輝度を調整し、更にその主映像信号の輝度平均値及びコントラストに基づいて副映像信号の輝度及びコントラストを調整する。外部輝度が高ければ副映像信号の輝度は高く且つコントラストは大きく調整され、外部輝度が低ければ副映像信号の輝度は低く且つコントラストは小さく調整される。副映像信号の輝度及びコントラストは見易い明るさに調整される。本発明の映像再生装置は、ユーザの目の疲労度が小さい映像を出力することができる。
【００５５】
《実施の形態６》
図１０を用いて、本発明の実施の形態６の映像再生装置（映像再生方法を含む）を説明する。
図１０は、本発明の実施の形態６の映像再生装置の構成を示すブロック図である。実施の形態６の映像再生装置は、実施の形態４の映像再生装置にコントラスト検出部１２（コントラスト演算部１３を有する。）及びコントラスト調整部２０（副映像コントラスト調整用パラメータテーブル２１を有する。）を加えたものである。副映像コントラスト調整用パラメータテーブル２１には、主映像信号（外部光の輝度に応じた輝度調整が行われていない主映像信号）の輝度平均値及びコントラスト値と、外部光の輝度とを複数の階調に分けたときの各階調の上限値、下限値及びそれらに対応する副映像信号のコントラスト値が書き込まれている。実施の形態４の映像再生装置（図８）と共通のブロックには共通の符号を付し、説明を省略する。
【００５６】
実施の形態６の映像再生装置は、外部光の輝度（照度）に基づいて輝度を調整した主映像信号と、外部光の輝度（照度）及び輝度が調整されていない主映像信号の輝度平均値に基づいて輝度を調整し、且つ外部光の輝度（照度）及び輝度が調整されていない主映像信号の輝度平均値及びコントラスト値に基づいてコントラストを調整した副映像信号とを、時間同期を取って合成し、出力する。
【００５７】
外部輝度検出部１６は、映像信号出力部５から出力される映像信号（第２の映像信号）が表示される場所の輝度（照度）を検出し、主映像輝度調整部１７、輝度調整部１８及びコントラスト調整部２０に送信する。主映像輝度調整部１７は、主映像信号復号部２から入力した主映像信号の輝度を、外部光の輝度に応じて調整し、バッファメモリ３に転送する。主映像信号の輝度は、外部光の輝度が高い時には高く、外部光の輝度が低い時には低く調整される。
【００５８】
輝度検出部８は、主映像信号復号部２から主映像信号（外部光の輝度に応じた輝度調整が行われていない主映像信号）を入力し、実施の形態１と同様の方法で輝度平均値を算出する。輝度調整部１８は、主映像信号の輝度平均値及び外部光の輝度に基づいて、副映像信号生成部７から受信した副映像信号の輝度を調整し、出力する。
【００５９】
コントラスト検出部１２は、主映像信号復号部２から主映像信号（外部光の輝度に応じた輝度調整が行われていない主映像信号）を入力し、実施の形態２と同様の方法でコントラスト値を算出する。コントラスト調整部２０は、主映像信号の輝度平均値及びコントラスト値と、外部光の輝度とに基づいて、輝度調整部１８から受信した副映像信号のコントラストを調整し、映像信号合成部４に転送する。
【００６０】
主映像の輝度平均値が高い場合若しくはコントラストが大きい場合、又は外部輝度が高い場合、副映像信号のコントラストは大きく調整される。主映像の輝度平均値が低い場合若しくはコントラストが小さい場合、又は外部輝度が低い場合、副映像信号のコントラストは小さく調整される。
【００６１】
映像信号合成部４は、バッファメモリ３から読み出した主映像信号と、コントラスト調整部２０から受信した副映像信号とを時間同期を取って合成し、合成した信号（第２の映像信号）を、映像信号出力部５に転送する。映像信号出力部５は、字幕付きの映像信号（第２の映像信号）を外部の表示装置に転送する。
【００６２】
実施の形態６の映像表示装置は、外部光の輝度に基づいて輝度を調整した主映像信号と、外部光の輝度と主映像信号の輝度平均値及びコントラスト値とに基づいて輝度及びコントラストを調整した副映像信号とを合成し、出力する。従って、ユーザの目の疲労度が小さい映像を出力することができる。
【００６３】
実施の形態１〜実施の形態６において、主映像信号の輝度平均値の算出、主映像信号のコントラストの検出、副映像信号の輝度の調整及び副映像信号のコントラストの調整を１フィールド単位で行ったが、１フレーム単位で行っても良い。
【００６４】
実施の形態１〜実施の形態６において、映像信号入力部１にＤＶＤから読み出した映像信号を入力したが、主映像信号と副映像信号とを含む、他の映像信号であっても良い。映像再生装置は、例えば、主映像信号と副映像信号とを含む放送電波を受信し、ディスプレイに表示するチューナー又はテレビであっても良い。
【００６５】
実施の形態１〜６において、輝度調整部１０は主映像信号の平均輝度値に基づいて副映像信号の輝度値を導出するために、テーブルを用いた。これに代えて、所定の演算式を用いても良い。
実施の形態２、５、６において、コントラスト調整部１４は副映像信号のコントラストを導出するために、テーブルを用いた。これに代えて、所定の演算式を用いても良い。
【００６６】
実施の形態１〜６においては、文字は白く表示した（輝度信号のみ）。これに代えて、文字をカラー表示しても良い。例えばカラー文字に重畳する輝度値を、主映像信号の平均輝度値に基づいて調整する。
【００６７】
実施の形態１〜６において、輝度調整部１０は、主映像信号の輝度平均値のみに基づいて副映像信号の輝度を調整した。これに代えて、輝度調整部１０は、主映像信号の輝度平均値及びコントラストに基づいて副映像信号の輝度を調整しても良い。
【００６８】
実施の形態２、５、６において、コントラスト調整部１４は、主映像信号の輝度平均値及びコントラストに基づいて副映像信号のコントラストを調整した。これに代えて、コントラスト調整部１４は、主映像信号の輝度平均値のみ又はコントラストのみに基づいて副映像信号のコントラストを調整しても良い。コントラスト調整部１４が、主映像信号の輝度平均値のみに基づいて副映像信号のコントラストを調整する場合、コントラスト検出部１２はなくても良い。
【産業上の利用可能性】
【００６９】
本発明の映像再生装置及び映像再生方法は、主映像信号及び副映像信号が含まれる映像信号の映像再生装置及び映像再生方法として有用である。
【図面の簡単な説明】
【００７０】
【図１】本発明の実施の形態１の映像再生装置の構成を示すブロック図
【図２】映像信号表示領域と平均値計算領域を示す説明図
【図３】平均値計算領域内での平均値計算方法を示す説明図
【図４】本発明の実施の形態１の輝度調整方法のフローチャート
【図５】本発明の実施の形態２の映像再生装置の構成を示すブロック図
【図６】本発明の実施の形態２のコントラスト調整方法の説明図
【図７】本発明の実施の形態３の映像再生装置の構成を示すブロック図
【図８】本発明の実施の形態４の映像再生装置の構成を示すブロック図
【図９】本発明の実施の形態５の映像再生装置の構成を示すブロック図
【図１０】本発明の実施の形態６の映像再生装置の構成を示すブロック図
【符号の説明】
【００７１】
１        映像信号入力部
２        主映像信号復号部
３        バッファメモリ
４        映像信号合成部
５        映像信号出力部
６        副映像情報抽出部
７        副映像信号生成部
８        輝度検出部
９        輝度平均値演算部
１０、１８  輝度調整部
１１        主映像輝度／副映像輝度対応テーブル
１２        コントラスト検出部
１３        コントラスト演算部
１４、２０  コントラスト調整部
１５、２１  副映像コントラスト調整用パラメータテーブル
１６        外部輝度検出部
１７        主映像輝度調整部
１９        主映像輝度・外部輝度／副映像輝度対応テーブル
２０１        映像信号表示領域
２０２        平均値計算領域
３００−１、３００−２、３００−３、３００−ｍ  小領域
【図１】
2004194311.tif 000003
【図２】
2004194311.tif 000004
【図３】
2004194311.tif 000005
【図４】
2004194311.tif 000006
【図５】
2004194311.tif 000007
【図６】
2004194311.tif 000008
【図７】
2004194311.tif 000009
【図８】
2004194311.tif 000010
【図９】
2004194311.tif 000011
【図１０】
2004194311.tif 000012